(57)【要約】【課題】本発明は自分史，エンディング，伝えたいメッセージなど自分に関した全てを１冊にまとめ、毎年書換えて常に最適な状態でエンディングに対応できると共に、思い立った時に、自分自身のことを項目別に沿って、自由に記入し、少しずつ無理なく書き留めることで、自分の人生を遺族や友人等に知ってもらうための歴史書が自然にまとめられ、且つ後世に残るルーズリーフ式のライフノートを提供することを目的とする。【解決手段】自分の履歴，家系，年表，思い出，出逢いが少なくとも記載される項目別頁を有した自分史部１と、死亡時に知らせて欲しい人達の住所録，自分からのメッセージ，葬儀についての希望事項，財産目録が少なくとも記載される項目別頁を有したエンディング部２と、思い出の写真収納コーナー，遺影写真入れ，大切な物入れを有した物入れ部３とから少なくとも構成し、それらを同時にファイルする。【選択図】図１
2008173854.tif 000002
【特許請求の範囲】
【請求項１】
自分の履歴，家系，年表，思い出，出逢いが少なくとも記載される項目別頁を有した自分史部（１）と、死亡時に知らせて欲しい人達の住所録，自分からのメッセージ，葬儀についての希望事項，財産目録が少なくとも記載される項目別頁を有したエンディング部（２）と、思い出の写真収納コーナー，遺影写真入れ，大切な物入れを有した物入れ部（３）とから少なくとも構成し、且つ前記自分史部（１）と前記エンディング部（２）及び前記物入れ部（３）を同時にファイルし、且つ項目別頁が増減可能としたことを特徴とするライフノート。
【請求項２】
前記自分史部（１）が、自分の家系図が記入し易くなる要素を印刷した家系頁（11）と、自分の出来事や周囲の出来事を年月日に沿って記入できるように印刷した年表頁（12）と、人，本，芸術，店の出逢いについて記載できるように印刷された出逢い頁とから少なくとも成された請求項１記載のライフノート。
【請求項３】
前記家系頁（11）が、本人名を記入するために中央に印刷した長方形の本人名記入欄（11a）と、該本人名記入欄（11a）を中心にして周囲に印刷した少し小さめな多数の長方形の親族名記入欄（11b）と、該親族名記入欄（11b）間及び前記親族名記入欄（11b）と前記本人名記入欄（11a）間を結ぶ血縁関係が明確にされるための縦横に印刷した薄い線（11c）と、前記親族名記入欄（11b）の上部に血縁関係を示すために印刷した括弧（11d）とから成された請求項２記載のライフノート。
【請求項４】
前記エンディング部（２）が、死亡時に知らせて欲しい人達の氏名，住所，電話番号を項目別に記入できるように印刷した住所録頁（21）と、自分からのメッセージ頁と、不動産と預貯金と保険及び品物の詳細事項，保管場所，要望を項目別に記入できるように印刷した財産目録頁（22）と、葬儀の形式，場所，規模，希望葬儀社，望む会場，隣組の氏名と電話番号，その他葬儀について望むことを項目別に記入できるように印刷した葬儀についての希望頁（23）とから少なくとも成された請求項１記載のライフノート。
【請求項５】
前記物入れ部（３）が、大切な物を入れる袋（31）と、思い出の写真を収納できるように透明なシートで形成した思い出の写真収納コーナー頁と、遺影写真が収納可能な大判写真収納コーナー頁とから少なくとも成された請求項１記載のライフノート。
【発明の詳細な説明】
【技術分野】
【０００１】
本発明は自分史部とエンディング部及び物入れ部を一緒にファイルしてルーズリーフ式のノートに構成されたライフノートに関する。
【背景技術】
【０００２】
従来、自分の足跡，人生の思い出，子供たち，縁者に対する希望，願いを綴れる本形式のノートとして、特開２００６−２２４３５３で遺言ノートが提案されている。この遺言ノートは、遺言とその方式の説明及び遺言のフォームや入力の手段や、各地相談所，公証人役場などの連絡手段や、他に法的な書式に則った遺言書のページが掲載されたものであり、故人が生前に自由に記した遺書,遺言，お礼などのメッセージを、その死後に本人に成り代わって遺族が、それぞれの相手に送信してもらえ、墓の世話や法事について、保険会社の連絡先などを記載することができるため、遺族にとって利用価値が高いものとなっていた。しかしながら、特開２００６−２２４３５３は、１冊に綴られているため、項目毎の頁数は多めに用意されている場合が多く、厚くなり易かった。又、この遺言ノートは、遺書,遺言，お礼などのメッセージなどの書換えや項目の増減が自由に出来ないものであった。更に遺言ノートは遺族が困らないように、本人が死に向って予め準備するのが目的であり、本人が生きた詳細な証や思い出及び周囲の諸事情などは、殆ど遺族に伝承されないものであり、そのような発想もないものであった。
【特許文献１】特開２００６−２２４３５３号公報
【発明の開示】
【発明が解決しようとする課題】
【０００３】
本発明は自分史部，エンディング（人生の終わりの準備），伝えたいメッセージなど自分に関した全てを１冊にまとめ、毎年書換えて常に最適な状態でエンディングに対応できるルーズリーフ式のライフノートを提供することを目的とする。
【０００４】
他の目的は、思い立った時に、自分自身のことを思い付く項目別に沿って、自由に記入し、少しずつ無理なく書き留めることで、自分の人生を遺族や友人等に知ってもらうための歴史書が自然にまとめられると共に後世に残るライフノートを提供するにある。
【課題を解決するための手段】
【０００５】
本発明は上記現状に鑑みて成されたものであり、つまり、自分の履歴，家系，年表，思い出，出逢いが少なくとも記載される項目別頁を有した自分史部と、死亡時に知らせて欲しい人達の住所録，自分からのメッセージ，葬儀についての希望事項，財産目録が少なくとも記載される項目別頁を有したエンディング部と、思い出の写真収納コーナー，遺影写真入れ，大切な物入れを有した物入れ部とから少なくとも構成し、且つ自分史部とエンディング部及び物入れ部を同時にファイルし、且つ項目別頁が増減可能な構成とする。また自分史部には、自分の家系図が記入し易くなる要素を印刷した家系頁と、自分の出来事や周囲の出来事を年月日に沿って記入できるように印刷した年表頁と、人，本，芸術，店の出逢いについて記載できるように印刷された出逢い頁とを少なくとも備えておくと良く、家系頁として、本人名を記入するために印刷した長方形の本人名記入欄と、該本人名記入欄の周囲に印刷した多数の長方形の親族名記入欄と、該親族名記入欄間及び親族名記入欄と本人名記入欄間を結ぶための縦横に印刷した薄い線と、親族名記入欄に血縁関係を示すために印刷した括弧とを備えておくと良い。又、エンディング部には、死亡時に知らせて欲しい人達の氏名，住所，電話番号を項目別に記入できるように印刷した住所録頁と、自分からのメッセージ頁と、不動産と預貯金と保険及び品物の詳細事項，保管場所，要望を項目別に記入できるように印刷した財産目録頁と、葬儀の形式，場所，規模，希望葬儀社，望む会場，隣組の氏名と電話番号，その他葬儀について望むことが項目別に記入できるように印刷された葬儀についての希望頁とを備えると良く、更に物入れ部には、大切な物を入れる袋と、思い出の写真を収納する思い出の写真収納コーナー頁と、遺影写真が収納可能な大判写真収納コーナー頁とを備えるのが良い。
【発明の効果】
【０００６】
請求項１のように自分の履歴，家系，年表，思い出，出逢いが少なくとも記載される項目別頁を有した自分史部（１）が備えられることにより、俗世を離れて旅立つ時（死亡時）に、残された大切な人たちが、自分をより深く知ってもらうための指針として、自分の生きて来た軌跡を偲んでもらうことが出来るかけがえのないノートとなると共に、思い立った時に自分自身のことを項目別に沿って、自由に記入し、少しずつ無理なく書き留めることで、自分の人生を遺族や友人等に知ってもらうための歴史書が自然にまとめられ、且つ、後世に残るライフノートとなる。又、死亡時に知らせて欲しい人達の住所録，自分からのメッセージ，葬儀についての希望事項，財産目録が少なくとも記載される項目別頁を有したエンディング部（２）が備えられることにより、死後の悔いがなくなると共に財産や貴重品の管理も容易に行えるものとなる。更に、思い出の写真収納コーナー，遺影写真入れ，大切な物入れを有した物入れ部（３）が備えられることにより、自分をより鮮明な状態で偲んでもらうことができ、且つ遺影写真が用意されているので、葬儀の準備も簡単になると共に、大切な物入れに簡単な遺言，葬儀で流して欲しいＣＤやカセットテープ，貴重品などを入れておけば、遺産管理や分与がスムーズに行えるものとなる。しかも、自分史部（１）とエンディング部（２）及び物入れ部（３）を同時にファイルし、且つ項目別頁が増減可能とすることにより、自分史部，エンディング（人生の終わりの準備），伝えたいメッセージなど自分に関した全てを１冊にまとめることが出来ると共に毎年書換えて常に最適な状態でエンディングに対応できるライフノートとなる。このため、本発明品は日記でもなく、アルバムでもなく、遺書でもない今までにないノートとなるのである。
【０００７】
請求項２のように自分史部（１）として、自分の家系図が記入し易くなる要素を印刷した家系頁（11）と、自分の出来事や周囲の出来事を年月日に沿って記入できるように印刷した年表頁（12）と、人，本，芸術，店の出逢いについて記載できるように印刷された出逢い頁とを少なくとも備えることにより、親族が誰にでも一目で分かり、親戚関係の付き合いもスムーズに行え、且つ、自分が生きて来た時代を再認識でき、それに伴う回顧事項が思い出されると共に、死亡後は、遺族に故人の生い立ちなどが分り易いものとなる。
【０００８】
請求項３に示すように家系頁（11）として、本人名を記入するために中央に印刷した長方形の本人名記入欄（11a）と、該本人名記入欄（11a）を中心にして周囲に印刷した少し小さめな多数の長方形の親族名記入欄（11b）と、該親族名記入欄（11b）間及び親族名記入欄（11b）と本人名記入欄（11a）間を結ぶ血縁関係が明確にされるための縦横に印刷した薄い線（11c）と、親族名記入欄（11b）の上部に血縁関係を示すために印刷した括弧（11d）とを備えることにより、親族関係の記入が簡単で、且つ、見易い家系図が簡単に仕上げられるものとなる。更に何代にも渡って各自が記入し、その家系頁（11）だけを外して並べれば、何十代にも及ぶ家系図が一目瞭然に分るものとなる。
【０００９】
請求項４に示すようにエンディング部（２）として、死亡時に知らせて欲しい人達の氏名，住所，電話番号を項目別に記入できるように印刷した住所録頁（21）と、自分からのメッセージ頁と、不動産と預貯金と保険及び品物の詳細事項，保管場所，要望を項目別に記入できるように印刷した財産目録頁（22）と、葬儀の形式，場所，規模，希望葬儀社，望む会場，隣組の氏名と電話番号，その他葬儀について望むことを項目別に記入できるように印刷した葬儀についての希望頁（23）とを少なくとも備えることにより、死亡の連絡や葬式の準備がスムーズに行え、且つ故人の希望が叶えられた葬儀を行うことが可能となる。またメッセージ頁を外して用意しておけば、葬儀に参列したメッセージ相手にその場で渡すことが出来るものとなる。更に遺産分与もスムーズに行えるものとなる。
【００１０】
請求項５のように物入れ部（３）として、大切な物を入れる袋（31）と、思い出の写真を収納できるように透明なシートで形成した思い出の写真収納コーナー頁と、遺影写真が収納可能な大判写真収納コーナー頁とを少なくとも備えることにより、貴重品の管理が容易に行え、故人をより鮮明な状態で偲んでもらうことができ、且つ気に入った遺影写真を大判写真収納コーナー頁に収納しておくことで、遺影写真が直ぐに用意できるものとなる。
【発明を実施するための最良の形態】
【００１１】
図１は本発明の実施形態の要部を示す図であり、この図に基づいて説明する。（１）は自分の履歴，家系，年表，思い出，出逢いが少なくとも記載される項目別頁を有した自分史部であり、該自分史部（１）には、自分の家系図が記入し易くなる要素を印刷した家系頁（11）と、自分の出来事や周囲の出来事を年月日に沿って記入できるように印刷した年表頁（12）と、人，本，芸術，店の出逢いについて記載できるように印刷された出逢い頁（13）とを少なくとも備えている。前記家系頁（11）としては、本人名を記入するために中央に印刷した長方形の本人名記入欄（11a）と、該本人名記入欄（11a）を中心にして周囲に印刷した少し小さめな多数の長方形の親族名記入欄（11b）と、該親族名記入欄（11b）間及び前記親族名記入欄（11b）と前記本人名記入欄（11a）間を結ぶ血縁関係が明確にされるための縦横に印刷した薄い線（11c）と、前記親族名記入欄（11b）の上部に血縁関係を示すために印刷した括弧（11d）とが備えられている。この家系頁（11）の前頁には、家系図の記入例の頁が備えられている。又、前記年表頁（12）としては複数枚用意され、それには、年月日，自分の出来事，周囲の出来事，その頃の心境（例えば願い，好きな事，心境の変化など）の欄が年月日に沿って記入できるように印刷されている。前記年表頁（12）の前頁には、記入例の頁が備えられている。また前記出逢い頁（13）には、出逢った人の氏名や思い出などを記入できる欄が印刷された頁と、出逢った本や小説或いは漫画などのタイトル，作家，思い出などを記入できる欄が印刷された頁と、出逢った音楽や映画或いは芸術などのタイトル，作家，思い出などが記入できる欄を印刷した頁と、出逢った店などの店名，業種，思い出などが記入できる欄を印刷した頁とがある。
【００１２】
図示されないその他の前記自分史部（１）の項目頁としては、複数枚から成る履歴頁，性格頁，複数枚から成る家族頁，複数枚から成る思い出の頁，複数枚から成る出逢い頁がある。前記履歴頁には、学歴と職歴の欄が年月日に沿って記入できるように印刷されている頁と、免許や趣味の欄が年月日に沿って記入できるように印刷されていると共に好み，多種分野に渡る経験が記入できるように印刷されている頁と、好きな格言やモットー，愛用品が記入できる欄が印刷されている頁とがある。前記性格頁には、子供の頃，学生時代，成人後，現在に区分して記入できるように印刷されている。また家族頁には、両親，兄弟姉妹，子供たちの各人毎の名前，名前の由来，生年月日，血液型や身長と体重などの身体的事項，学歴，職歴，性格などの項目が記入できるように印刷されている。前記思い出の頁には、嬉しかったこと，苦しかったこと，後悔したこと，謝りたいこと，辛かったこと，挫折したこと，ショックを受けたこと，やりたかったこと，人生を振返って思うことなどの項目別頁があり、それが記載し易いように数行分の欄が印刷されている。
【００１３】
（２）は死亡時に知らせて欲しい人達の住所録，自分からのメッセージ，葬儀についての希望事項，財産目録が少なくとも記載される項目別頁を有したエンディング部であり、該エンディング部（２）として、死亡時に知らせて欲しい人達の住所録頁（21）と、自分からのメッセージ頁と、不動産と預貯金と保険及び品物などの財産目録頁（22）と、葬儀についての希望頁（23）とから少なくとも備えられている。前記住所録頁（21）には、死亡時に知らせて欲しい人達の氏名，住所，電話番号などの項目別に記入できるように印刷されている。前記財産目録頁（22）には、不動産の内容，所在住所，資産概要，金額，抵当権の有無，権利書の保管場所，要望などを項目別に記入できるように印刷した頁と、預貯金の金融機関名，口座名義人，預金の種類，口座番号，通帳等の保管場所，要望などを項目別に記入できるように印刷した頁と、保険の保険会社名，受取人，保険の種類，証書番号，保険の支払条件等，証書等の保管場所，要望などを項目別に記入できるように印刷した頁と、物や品の品名，保管場所，品物についての思い出やエピソードを項目別に記入できるように印刷した物や品の頁とがある。前記葬儀についての希望頁（23）には、仏教や神徒或いは社葬などの葬儀の形式，自宅やお寺或いはホールなどの場所，身内親族だけなのか知人や近所或いは仕事関係だけなどか葬儀の規模，希望葬儀社や会場，隣組の氏名と電話番号，その他葬儀について望むことが項目別に記入できるように印刷されている。
【００１４】
図示されないその他の前記エンディング部（２）の項目頁としては、伝えたい人の氏名と複数行記入できる欄とが印刷されているメッセージ頁と、付録の頁とがある。この付録の頁には、年齢早見表を印刷した頁，世界と日本の出来事を印刷した頁，歴代総理大臣を印刷した頁，日本レコード大賞を印刷した頁，高校野球優勝校を印刷した頁，プロ野球優勝チームを印刷した頁，大相撲優勝力士を印刷した頁，連続テレビ小説を印刷した頁，大河ドラマを印刷した頁などを備えて置くのが好ましい。
【００１５】
（３）は思い出の写真収納コーナー，遺影写真入れ，大切な物入れを有した物入れ部であり、該物入れ部（３）の大切な物を入れる袋（31）には、簡単な遺言，葬儀で流して欲しいＣＤやカセットテープ，貴重品などを入れておくのが好ましい。また図示されない項目頁としては、思い出の写真が収納できるように透明なシートで形成した写真収納コーナー頁と、遺影写真などの大判の写真が収納できるように透明なシートで形成した大判写真収納コーナー頁などがある。尚、前記袋（31）には密封できるように紐付きの袋を用いるのが好ましく、前記袋（31）の表面に遺言書の書き方の例などを印刷しておくと良い。
【００１６】
本発明の前記自分史部（１）とエンディング部（２）及び物入れ部（３）の左端部には多数の取付用の穴が穿設されており、図示しないバインダーなどを使用したルーズリーフ式のノートに同時にそれらがファイルされている。尚、ルーズリーフの形式や大きさなどは限定されるものではなく、前記自分史部（１）とエンディング部（２）及び物入れ部（３）がファイルされ、且つ項目別頁が増減可能なものであればバインダー以外のものでも良い。又、上記頁以外に、目次を印刷した頁や始めの言葉を印刷した頁など必要に応じた頁を追加したものとするのが良い。
【００１７】
次に本発明品の記入方法について説明する。先ず始めに、最初の頁に名前を記入し、書きたい頁から記入して行けば良いが、主な頁の記入方法について説明する。先ず自分史部（１）の家系頁（11）を記入する場合は、図２に示す記入例頁を参照にして記入すれば良い。つまり、自分の名前を本人名記入欄（11a）に記入し、括弧（11d）に本人と記入する。次に配偶者がいれば、本人名記入欄（11a）の真横の親族名記入欄（11b）に氏名を記入すると共に括弧（11d）に続柄を記入する。また子供がいれば、下の段の親族名記入欄（11b）に氏名を記入すると共に括弧（11d）に続柄を記入し、子供の人数分を記入する。その子供に孫がいれば、記入した子供の更に下の親族名記入欄（11b）に氏名を記入すると共に括弧（11d）に孫と記入し、孫の人数分を記入する。又、本人と配偶者の上の親族名記入欄（11b）に両親の氏名をそれぞれ記入すると共に括弧（11d）に続柄を記入し、その下、つまり、本人と配偶者が記載された同じ段の親族名記入欄（11b）に兄弟姉妹を、本人側と配偶者側に分けて氏名を記入すると共に括弧（11d）に続柄を順次記入する。兄弟姉妹に子供がいる場合には、その下の段の親族名記入欄（11b）に氏名を記入すると共に括弧（11d）に続柄を順次記入する。更に両親を記入した上の段の親族名記入欄（11b）に祖父母の氏名を記入すると共に括弧（11d）に続柄を記入し、その下の段、つまり両親が記載された同じ段の親族名記入欄（11b）に、オジとオバの氏名を記入すると共に括弧（11d）に続柄を記入し、オジとオバに子供がいれば、その下の親族名記入欄（11b）に氏名を記入すると共に括弧（11d）に従兄弟と記入する。その後、縦横に印刷した薄い線（11c）の上をなぞり、本人との血縁関係を明確にさせることにより、家系図が簡単に仕上げられるものとなると共に見易い家系図が完成するのである。尚、記入する際は鉛筆を使うのが好ましく、変更が生じた箇所は書き直しておけば良い。
【００１８】
前記自分史部（１）の年表頁（12）を記入する場合は、記入例頁を参照にして記入すれば良い。つまり、自分の出来事や周囲の出来事を年月日に沿って記入して行き、子供の頃，学生時代，成人後，現在などに区分して記入すると良い。又、区分して記入した頃の願い，好きな事，心境の変化なども年月日に沿って記入すると良い。次に出逢い頁（13）を記入する場合は、項目別に沿って気軽に記入すれば良く、他の頁についても同様である。
【００１９】
前記エンディング部（２）の葬儀についての希望頁（23）を記入する場合は、図３に示すように予め印刷された事項に沿って記入すれば良い。つまり、葬儀の形式として仏教を望むのであれば、そこを鉛筆で囲み、場所としてホールを利用するのであればそこを囲み、印刷された内容に沿って葬儀の規模，希望葬儀社や会場の有無を囲み、且つ必要に応じた内容を記入すれば良い。又、同じ頁に印刷された欄に隣組の氏名と電話番号，その他葬儀について望むことを鉛筆で記入しておけば良い。このようにして、印刷された欄に沿って他の頁についても、鉛筆で記入し、変更がない箇所、例えば過去の記載についてはペンなどを使用して消えないようにさせておくのが好ましい。次に物入れ部（３）の袋（31）が本発明品の最後の頁に備えられているので、その中に大切な物を入れ、紐で口を閉じておけば良い。又、思い出の写真や遺影写真はそれぞれの頁に設けた透明なシートで形成した写真収納コーナーに収納しておけば良い。従って、本発明品はルーズリーフ式のノートであるため、頁の増減が可能なノートになっており、個人の人生を詳細に記した書面となり、補正、追記が自由なため、永続的な記録として活用できるものとなるのである。また記入して行くことにより、自分自身をより深く知ることが可能となり、残された人生をより有意義に過ごす目安にもなり、思うような最適な状態で人生を終えることが出来るものとなる。
【図面の簡単な説明】
【００２０】
【図１】本発明の実施形態の要部を示す説明図である。
【図２】本実施形態の家系図の記入例頁を示す説明図である。
【図３】本実施形態の葬儀についての希望頁を示す説明図である。
【符号の説明】
【００２１】
１  自分史部
11  家系頁
11a  本人名記入欄
11b  親族名記入欄
11c  線
11d  括弧
12  年表頁
13  出逢い頁
２  エンディング部
21  住所録頁
22  財産目録頁
23  葬儀についての希望頁
３  物入れ部
31  袋
【図１】
2008173854.tif 000003
【図２】
2008173854.tif 000004
【図３】
2008173854.tif 000005